(57)【要約】【課題】  所定の解像度で原稿を読み取る際に発生する騒音を、状況に応じて低減できる画像読み取り装置を提供する。【解決手段】  走査手段及び副走査手段を制御することにより、第一のモードでは第一の速度で原稿に対し主走査範囲を副走査方向に移動させながら前記原稿の光学像を表すラスタ画像データを前記走査手段で生成させ、第二のモードでは前記第一の速度より低速の第二の速度で前記原稿に対し前記主走査範囲を前記副走査方向に移動させながら前記原稿の光学像を前記第一のモードと同一の解像度で表すラスタ画像データを前記走査手段で生成させる制御手段と、前記制御手段を前記第一のモード及び前記第二のモードに遷移させる操作を受け付けるモード選択手段と、を備えることを特徴とする画像読み取り装置。【選択図】  図１７
2005094688.tif 000002
【特許請求の範囲】
【請求項１】
リニアイメージセンサを有し、前記リニアイメージセンサの出力に基づいて所定解像度のラスタ画像データを生成する走査手段と、
原稿の狭幅な主走査範囲を前記リニアイメージセンサの受光面に結像させる光学系と、
前記光学系の少なくとも一部又は前記原稿の一方を他方に対して移動させることにより前記原稿に対し前記主走査範囲を副走査方向に移動させる副走査手段と、
前記走査手段及び前記副走査手段を制御することにより、第一のモードでは第一の速度で前記原稿に対し前記主走査範囲を前記副走査方向に移動させながら前記原稿の光学像を表すラスタ画像データを前記走査手段で生成させ、第二のモードでは前記第一の速度より低速の第二の速度で前記原稿に対し前記主走査範囲を前記副走査方向に移動させながら前記原稿の光学像を前記第一のモードと同一の解像度で表すラスタ画像データを前記走査手段で生成させる制御手段と、
前記制御手段を前記第一のモード及び前記第二のモードに遷移させる操作を受け付けるモード選択手段と、
を備えることを特徴とする画像読み取り装置。
【発明の詳細な説明】
【技術分野】
【０００１】
本発明は画像読み取り装置に関する。
【背景技術】
【０００２】
従来、リニアイメージセンサを備えた画像読み取り装置が知られている。リニアイメージセンサを備えた画像読み取り装置では、原稿又は光学系のいずれか一方を搬送することにより狭幅な主走査範囲を幅方向に移動させ、副走査方向に原稿を読み取っている。原稿又は光学系を搬送するためのモータ、ギア等の機械的要素が発する騒音は、モータの回転速度に応じて大きくなる。このため、低解像度の読み取りモードにおいて、例えば光学系を原稿台と平行に運搬するキャリッジを高速に移動させながら原稿を読み取ると、騒音が大きくなるという問題がある。
【発明の開示】
【発明が解決しようとする課題】
【０００３】
本発明は、所定の解像度で原稿を読み取る際に発生する騒音を、状況に応じて低減できる画像読み取り装置を提供することを目的とする。
【課題を解決するための手段】
【０００４】
上記目的を達成するため、本発明に係る画像読み取り装置は、リニアイメージセンサを有し、前記リニアイメージセンサの出力に基づいて所定解像度のラスタ画像データを生成する走査手段と、原稿の狭幅な主走査範囲を前記リニアイメージセンサの受光面に結像させる光学系と、前記光学系の少なくとも一部又は前記原稿の一方を他方に対して移動させることにより前記原稿に対し前記主走査範囲を副走査方向に移動させる副走査手段と、前記走査手段及び前記副走査手段を制御することにより、第一のモードでは第一の速度で前記原稿に対し前記主走査範囲を前記副走査方向に移動させながら前記原稿の光学像を表すラスタ画像データを前記走査手段で生成させ、第二のモードでは前記第一の速度より低速の第二の速度で前記原稿に対し前記主走査範囲を前記副走査方向に移動させながら前記原稿の光学像を前記第一のモードと同一の解像度で表すラスタ画像データを前記走査手段で生成させる制御手段と、前記制御手段を前記第一のモード及び前記第二のモードに遷移させる操作を受け付けるモード選択手段と、を備えることを特徴とする。光学系又は原稿を移動させる速度が互いに異なる同一解像度のラスタ画像データを生成する２種類のモードを使い分けることを可能にすることにより、所定の解像度で原稿を読み取る際に発生する騒音を、状況に応じて低減できるようになる。
尚、本発明に備わる複数の手段の各機能は、構成自体で機能が特定されるハードウェア資源、プログラムにより機能が特定されるハードウェア資源、又はそれらの組み合わせにより実現される。また、これら複数の手段の各機能は、各々が物理的に互いに独立したハードウェア資源で実現されるものに限定されない。
また、本発明は装置の発明として特定できるだけでなく、プログラムの発明としても、そのプログラムを記録した記録媒体の発明としても、方法の発明としても特定することができる。
【発明を実施するための最良の形態】
【０００５】
以下、本発明の実施の形態を複数の実施例に基づいて説明する。
（第一実施例）
図１は、本発明の第一実施例の画像読み取り装置を構成するイメージスキャナ１の内部構造を示す断面図である。イメージスキャナ１は、原稿台２４に載置された原稿を読み取る所謂フラットベッド型である。原稿台２４はガラス板等の透明板で形成され、その盤面２４０上に印刷文書、写真、書籍等の原稿が載置される。原稿台の盤面２４０上には、Ａ４サイズに相当する読み取り領域が設定されている。
【０００６】
キャリッジ４２は、原稿台２４の盤面２４０に対し平行なガイドロッド４６に摺動自在に嵌合している。キャリッジ４２は、第二光源３４を搭載している。またキャリッジ４２は、結像光学系としてのミラー３２及びレンズ３６、イメージセンサ３８を搭載している。キャリッジ４２は、副走査手段としての図示しないキャリッジ搬送用モータによって駆動されるプーリに掛けられたベルトに牽引され、原稿台２４の盤面２４０と平行に矢印Ｘ、Ｙの方向に往復移動する。第二光源３４と、ミラー３２と、レンズ３６と、イメージセンサ３８がキャリッジ４２によって原稿台２４の盤面と平行な矢印Ｘ、Ｙの方向に運搬されると、原稿を読み取る主走査範囲がその幅方向（副走査方向）に移動する。
尚、画像読み取り装置は、原稿台２４に対してイメージセンサ３８及びレンズ３６の位置を固定し、複数のミラーを連動して移動させることによって主走査範囲をその幅方向に移動させるミラー移動型でもよいし、縮小光学系の代わりにロッドレンズアレイを用いた密着型イメージセンサを用いてもよい。
【０００７】
第二光源３４は、原稿台２４の裏面側に設けられ、例えばキセノン、ネオン等の希ガスや水銀を封入した蛍光管ランプ等の管照明装置から構成されている。第二光源３４は、その長手方向軸線がガイドロッド４６の長手方向軸線と垂直で原稿台２４に平行な方向に延びるようにキャリッジ４２に搭載されている。第二光源３４に照射された原稿の主走査範囲上の反射光は、ミラー３２で反射してレンズ３６に入射し、レンズ３６によってイメージセンサ３８の受光面に集光される。また、レンズ３６及びミラー３２は、イメージセンサ３８の受光面に原稿台２４の盤面２４０に載置された原稿が鮮明に結像される位置に配置される。
【０００８】
第一光源ユニット２１は、原稿台２４の盤面側に設けられ、第一光源２０、リフレクタ１８及び拡散板２２で構成されている。第一光源２０は例えばキセノン、ネオン等の希ガスや水銀を封入した蛍光管ランプ等の管照明装置から構成されている。第一光源２０は、その長手方向軸線がガイドロッド４６の長手方向軸線と平行に延びるように透過原稿搬送装置１７に設けられている。第一光源２０の真下に主走査範囲の中央が位置するように設定されている。リフレクタ１８は、第一光源２０の原稿台２４と反対側に設けられている。拡散板２２は、第一光源２０の原稿台２４と同じ側に設けられている。第一光源２０から放射された光は、リフレクタ１８で反射し、拡散板２２によって拡散され、３５ｍｍストリップフィルムの読み取り対象のコマが読み取り時に位置決めされる第一読み取り領域ＳＳ（図１１参照）、マウントフィルムが読み取り時に位置決めされるマウントフィルム読み取り領域ＳＭ及び白基準読み取り領域ＳＷを均一な照度で照明する。
【０００９】
イメージセンサ３８は、フォトダイオード等で構成される図示しないセルが直線的に多数配列された所謂リニアイメージセンサである。イメージセンサ３８は、多数のセルが管状の第二光源３４の中心軸線と平行に並ぶ姿勢でキャリッジ４２に搭載されている。イメージセンサ３８の各セルには受光量に応じた電荷が光電変換により蓄積される。各セルに蓄積された電荷は、ＣＣＤ（Charge Coupled Device）等によってイメージセンサ３８の出力部に転送される。イメージセンサ３８から出力されるアナログ信号は、図示しないＡ／Ｄ変換器によってディジタル信号に変換されてＡ／Ｄ変換器から出力される。
【００１０】
図２はイメージスキャナ１の外観を示す平面図である。図３はイメージスキャナ１の外観を示す正面図である。透過原稿搬送装置１７は、原稿台２４によって図示しない開口部が閉塞された本体ハウジング５２の上部に設けられる。防塵カバー１２は、後述する原稿搬送路の挿入口１４を開閉可能な蓋である。
図４は、透過原稿搬送装置１７及び原稿台２４を示す断面図であって、図２のＡ−Ａ線断面図に相当する。図５は透過原稿搬送装置１７及び原稿台２４を示す断面図であって、図２のＢ−Ｂ線断面図に相当する。
【００１１】
透過原稿搬送装置１７は、ヒンジ５６によって本体ハウジング５２に揺動自在に連結される。透過原稿搬送装置１７が全閉姿勢になると、原稿台２４は透過原稿搬送装置１７によって覆われる。図示しない原稿マットが透過原稿搬送装置１７の下部に脱着自在に設けられる。原稿マットは、反射原稿を読み取るときに装着され、透過原稿を読み取るときに取り外される。透過原稿搬送装置１７から原稿マットを取り外すと、図１に示すように第一レール部材２６の下面４０と原稿台２４の盤面２４０が透過原稿搬送装置１７の重さによって圧接する。図４及び図５に示すように、第一レール部材２６の両側には原稿台２４の盤面２４０に透過原稿搬送装置１７を安定して載置するための支持部５４が設けられている。原稿台２４の盤面２４０に第一レール部材２６の下面４０が圧接しているときには、支持部５４の下面５４０と原稿台２４の盤面２４０との間にわずかな隙間ができる。
【００１２】
図６は、透過原稿搬送装置１７の搬送機構を示す斜視図である。第一レール部材２６には、第一読み取り領域ＳＳ（図１１参照）に対応する開口部６６が形成されている。開口部６６はイメージセンサ３８の主走査範囲のほぼ中央に位置している。開口部６６の両側には第一レール８４及び第二レール８０が互いに平行に形成されている。第一レール８４は３５ｍｍのストリップフィルムの一方のトラックをキャリッジ４２のガイドロッド４６の長手方向軸線を含む仮想平面と平行に案内し、第二レール８０はフィルムの他方のトラックをキャリッジ４２のガイドロッド４６の長手方向軸線を含む仮想平面と平行に案内する。第一レール８４と第二レール８０とを接続している接続部５７、８２は、フィルムに接触しないように第一レール８４及び第二レール８０より一段低く形成されている。第一レール８４と第二レール８０との間隔は、３５ｍｍのストリップフィルム（以下、フィルムという。）の画像記録領域に接触しないようにフィルムの画像記録領域の幅２４ｍｍより広くなっている。第一レール８４及び第二レール８０は、両端部から中央に向かって降下し中間部が平坦である。
【００１３】
第一板ばね２８は、第一レール８４の上に載置されている。第二板ばね７４は、第二レール８０の上には載置されている。第一板ばね２８は、図７（Ａ）に示すように、両端部近傍が第一レール８４から離間するように湾曲している。第二板ばね７４は、第一板ばね２８と同一の形状であって、両端部近傍が第二レール８０から離間するように湾曲している。
【００１４】
第一ベルト１６は、図７（Ｂ）に示すように、第一レール８４の上に、第一板ばね２８を押し潰すように設けられている。第二ベルト７０は、第二レール８０の上に、第二板ばね７４を押し潰すように設けられている。第一ベルト１６及び第二ベルト７０が第一板ばね２８及び第二板ばね７４を押し潰すように設けられると、第一板ばね２８の挿入口側端部と第二板ばね７４の挿入口側端部は、図７（Ｂ）に示すように同一の線分平行移動軌跡に反って湾曲し、それぞれ第一ベルト１６、第二ベルト７０の挿入口側端部に圧接する。また、第一板ばね２８の反挿入口側端部と第二板ばね７４の反挿入口側端部は、同一の線分平行移動軌跡に反って湾曲し、それぞれ第一ベルト１６、第二ベルト７０の反挿入口側端部に圧接する。フィルムが挿入口１４から第一レール部材２６に案内されて第一ベルト１６及び第二ベルト７０の挿入口側端部に到達すると、第一板ばね２８の弾力によってフィルムのトラックの一方が第一ベルト１６に圧接し、第二板ばね７４の弾力によってフィルムのトラックの他方が第二ベルト７０に圧接する。また、第一板ばね２８及び第二板ばね７４が設けられた区間では、第一板ばね２８及び第二板ばね７４にフィルムが摺接する。
【００１５】
図６に示すように、第一ベルト１６は第一プーリ対としてのプーリ３０とプーリ４４に架け渡されている。第二ベルト７０は第二プーリ対としてのプーリ６４とプーリ７６に架け渡されている。プーリ４４とプーリ７６が固定された原動シャフト７８と、プーリ３０とプーリ６４が固定された従動シャフト６２とは、第一レール部材２６に固定された板金フレーム１０１に回転自在に支持されている。板金フレーム１０１は、第一ベルト１６及び第二ベルト７０がプーリ対で直線状に引っ張られる位置で原動シャフト７８及び従動シャフト６２を支持している。第一ベルト１６及び第二ベルト７０をプーリ対で直線状に引っ張ることにより、第一レールとして機能する第一板ばね２８及び第二レールとして機能する第二板ばね７４からフィルムのトラックが第一ベルト１６及び第二ベルト７０が架け渡されたプーリ対の中間部で浮き上がることを防止できる。また、第一板ばね２８の前端部及び第二板ばね７４の前端部で幅方向の反りが矯正されたフィルムが第一ベルト１６及び第二ベルト７０の中間部で復元して再び反ることを防止できる。透過原稿搬送用モータ９４は、板金フレーム１０１に固定されている。透過原稿搬送用モータ９４は、歯車１００，９８，９６，９０，９２，８８，８６によって原動シャフト７８にトルクを伝達する。従動シャフト６２の一端部には、第一ベルト１６及び第二ベルト７０を手動回転させるためのノブ６０が固定されている。
【００１６】
尚、第一ベルト１６及び第二ベルト７０は、プーリと噛み合う歯のあるタイミングベルトでもよいし、プーリと噛み合う歯のないベルトであってもよい。また、第一ベルト１６及び第二ベルト７０を１つのモータで回転させても良いし、同期制御された２つのモータで回転させても良い。また、プーリ間で第一ベルト１６及び第二ベルト７０を撓ませておき、第一ベルト１６及び第二ベルト７０のそれぞれの内側に設けたプーリによって第一ベルト１６及び第二ベルト７０を第一レール部材２６側に押し付けても良い。
【００１７】
図８は、透過原稿搬送装置１７の一部を示す底面図である。
第一レール部材２６は基板１５にねじで締結されている。第二レール部材４８は、第一レール部材２６の反挿入口側に所定距離離間して基板１５に脱着自在に係止されている。第二レール部材４８は、第一レール８４の延長線上に位置しキャリッジ４２のガイドロッド４６の中心軸線を含む仮想平面と平行に延びる第三レール４８５と、第二レール８０の延長線上に位置しキャリッジ４２のガイドロッド４６の中心軸線を含む仮想平面と平行に延びる第四レール４８９とを有する。第三レール４８５と第四レール４８９とは、前方接続部４８０及び後方接続部４８２によって所定距離離間して連結されている。前方接続部４８０及び後方接続部４８２は、フィルムの画像記録領域に接触しないように第三レール４８５及び第四レール４８９から一段低く形成されている。第三レール４８５と第四レール４８９の間の開口部４８４はマウントフィルム読み取り領域ＳＭ（図１１参照）に対応している。開口部４８４はイメージセンサ３８の主走査範囲のほぼ中央に位置している。
【００１８】
第三レール４８５から耳部４８６及び耳部４９０が突出している。第四レール４８９から耳部４８８及び耳部４９２が突出している。図９及び図１０に示すように、耳部４８６及び耳部４９０は基板１５の弾性変形可能な係合部１５０、１５４に脱着自在に嵌合し、耳部４８８及び耳部４９２は基板１５の弾性変形可能な係合部１５２，１５６に脱着自在に嵌合する。第二レール部材４８を基板１５から取り外すと、フィルムの搬送経路が開放されるため、搬送経路に詰まったフィルムを容易に取り出すことができる。また、このとき第一ベルト１６、第二ベルト７０等の駆動機構が露出することがないため駆動機構に異物が進入しにくい。
【００１９】
図１に示すように、第二レール部材４８と原稿台２４の盤面２４０が離間するように第二レール部材４８は位置決めされている。第二レール部材４８の下の原稿台２４の盤面上のマウントフィルム読み取り領域ＳＭ（図１１参照）にはマウントフィルムを載置することができる。第二レール部材４８を原稿台２４の盤面２４０から離間させることにより、マウントフィルム読み取り領域ＳＭと第一読み取り領域ＳＳとを光学系の光軸近傍に並べることができる。このため、第一読み取り領域ＳＳに位置決めされるストリップフィルムも、マウントフィルム読み取り領域ＳＭに位置決めされるマウントフィルムも、光学系の光軸中心付近を使ってイメージセンサ３８に結像させることができる。
尚、第三レール４８５と第四レール４８９とは、一部品で構成してもよいし、別部品で構成してもよい。
【００２０】
図１１は、透過原稿搬送装置１７及び原稿台２４を示す断面図であって、図２のＤ−Ｄ線断面図に相当する。フィルムの搬送経路の導入部は、第一レール部材２６と押さえ部材２５との間隙によって形成されている。搬送経路の駆動区間は、第一板ばね２８と第一ベルト１６の間と、第二板ばね７４と第二ベルト７０の間にある。駆動区間の反導入部側には第一レール部材２６と基板１５の間隙によって搬送経路の上昇区間が形成されている。第二レール部材４８と基板１５の間隙に搬送経路の待避区間が形成されている。第二レール部材４８の前端は第一レール部材２６の後端から離間しているため、湾曲したフィルムが搬送経路から逸れないように、第二レール部材４８の導入部側と基板１５の間隙を広げている。搬送経路の待避区間は第二レール部材４８の後方に形成された待避空間２２０に続いている。
【００２１】
第一レール部材２６と第二レール部材４８の間隙に白基準読み取り領域ＳＷが設定されている。第一レール部材２６と第二レール部材４８が離間した区間に白基準読み取り領域ＳＷを設定しているため、図８に示すように、白基準読み取り領域ＳＷの幅ＷＷは、第一読み取り領域ＳＳの幅ＷＳＦより十分広くなっている。また、白基準読み取り領域ＳＷの幅ＷＷは、マウントフィルム読み取り領域ＳＭの幅ＷＳＳより十分広くなっている。
【００２２】
第一ポジションセンサ１０２は、挿入口１４から挿入されたフィルムの前端が第一レール部材２６に案内されて搬送経路の導入部の挿入検出位置ＳＰに到達すると反応する位置に設けられている。
第二ポジションセンサ１０４は、第一ベルト１６及び第二ベルト７０に搬送されたフィルムの前端が搬送経路の上昇区間の搬送原点ＯＰに到達すると反応する位置に設けられている。
【００２３】
図１２は、イメージスキャナ１とパーソナルコンピュータ（ＰＣ）１３０により構成される画像読み取り装置のブロック図である。イメージスキャナ１とＰＣ１３０とは各々のインターフェース１２８，１３４を介して通信線、例えばＵＳＢ（Universal Serial Bus）ケーブルで繋がれ、画像読み取り装置を構成する。
【００２４】
イメージスキャナ１は、制御部１２６、操作部１２０、第一照明部１１０、第二照明部１１２、イメージセンサ３８、主走査駆動部１１４、透過原稿搬送部１１６とキャリッジ搬送部１１８、アナログフロントエンド（ＡＦＥ）部１２２、ディジタル画像処理部１２４、及びインターフェース１２８を備えている。イメージセンサ３８と、主走査駆動部１１４と、アナログフロントエンド（ＡＦＥ）部１２２と、ディジタル画像処理部１２４とは、走査手段に対応する。
【００２５】
制御部１２６は、ＣＰＵ１２６２、ＲＯＭ１２６０、及びＲＡＭ１２６４を備える。ＣＰＵ１２６２はＲＯＭ１２６０に記憶されているプログラムを実行し、イメージスキャナ１の各部を制御する。ＲＯＭ１２６０は各種プログラム、各種データなどを記憶する不揮発性のメモリ、ＲＡＭ１２６４は各種プログラム、各種データなどを一時的に記憶するメモリである。
【００２６】
操作部１２０は、ユーザの画像読取装置に対する操作を受け付け、所定の要求信号を制御部１２６に送信する。例えば、操作部１２０は後述するＰＣ１３０のハードディスク（ＨＤＤ）１４８に記憶されているスキャナ制御用プログラムを起動するためのボタン５００を備え、ユーザがボタン５００を押下すると上述のアプリケーションプログラムの起動を要求する信号が制御部１２６に送信される。
【００２７】
第一照明部１１０は上述の第一光源２０、図示しない第一光源用インバータ回路、第一照明部用制御回路等から構成される。第一照明部用制御回路は制御部１２６から送信される第一照明部制御信号を受信し、第一光源２０の点灯、消灯を制御する。第二照明部１１２は上述の第二光源３４、図示しない第二光源用インバータ回路、第二照明部用制御回路等から構成される。第二照明部用制御回路は制御部１２６から送信される第二照明部制御信号を受信し、第二光源３４の点灯、消灯を制御する。
【００２８】
主走査駆動部１１４はイメージセンサ３８を駆動するために必要な駆動パルスをイメージセンサ３８に出力する駆動回路であり、例えば同期信号発生器、駆動用タイミングジェネレータ等から構成される。イメージセンサ３８を駆動するための信号としては、光電変換部からＣＣＤへの電荷の移送を制御するゲートを開閉するパルス、ＣＣＤで電荷を出力部に向けて転送するシフトパルス等がある。主走査駆動部１１４は、制御部１２６から出力されるセンサ制御信号を受信し、センサ制御信号に応じてイメージセンサ３８の駆動パルスを出力する。
透過原稿搬送部１１６は、上述の透過原稿搬送用モータ９４、図示しない透過原稿搬送用モータ駆動回路、透過原稿搬送部制御用回路等から構成される。透過原稿搬送部用制御回路は、制御部１２６から送信される透過原稿搬送制御信号を受信し、透過原稿搬送用モータ９４の回転方向、回転速度等を制御する。
【００２９】
キャリッジ搬送部１１８は、上述の図示しないキャリッジ搬送用モータ、キャリッジ搬送用モータ駆動回路、キャリッジ駆動部用制御回路等から構成される。キャリッジ駆動部用制御回路は、制御部１２６から送信されるキャリッジ搬送制御信号を受信し、キャリッジ搬送制御信号に応じたパルス速度でキャリッジ搬送用モータを制御する信号を出力する。キャリッジ搬送用モータは、例えば１パルスあたり３．７５°回転するステッピングモータで構成され、パルス信号数に応じた角度分回転する。キャリッジ４２はキャリッジ搬送用モータが発生するトルクによって回転するベルトとともに移動する。すなわち、キャリッジ４２の移動速度はキャリッジ搬送用モータに入力する信号のパルス速度によって制御される。
【００３０】
ＡＦＥ部１２２は、ＣＤＳ(Correlated Double Sampling)回路、及びＡ／Ｄコンバータ等から構成される。ＣＤＳ回路は、イメージセンサ３８から出力されたアナログ画像信号に対して雑音低減処理を施す。Ａ／Ｄコンバータはアナログ信号処理部から出力されたアナログ信号を量子化し、所定ビット長のディジタル表現の画素値をイメージセンサ３８のセル毎に出力する。
【００３１】
ディジタル画像処理部１２４は、例えば画像処理用のＡＳＩＣにより構成され、ＡＦＥ部１２２から出力された画素値に対し、後述するサイレントモードにおける複数ライン分の画像データの平均化処理、シェーディング補正、ガンマ補正等の処理を行って所定解像度のラスタ画像データを生成する。
【００３２】
ＰＣ１３０はＣＰＵ１３６、ＲＯＭ１４２、ＲＡＭ１４６、ＨＤＤ１４８、ディスプレイ１３８、操作部１４０及びインターフェース１３４を備えている。ＣＰＵ１３６はＲＯＭ１４２及びＨＤＤ１４８に記憶されているプログラムを実行し、ＰＣ１３０の各部を制御する。ＲＯＭ１４２は各種プログラム、各種データなどを記憶する不揮発性のメモリ、ＲＡＭ１４６は各種プログラム、各種データなどを一時的に記憶するメモリである。ＨＤＤ１４８は各種プログラム、各種データなどを記憶する記憶装置である。ディスプレイ１３８は、ＣＲＴや液晶を用いた表示装置で、読み取られた画像を表示する。操作部１４０は、図示しないキーボード、マウス等を備え、ユーザのＰＣ１３０への操作を受け付ける。具体的には、画像の読み取り開始指示の受付等を行う。詳細は後述する。
イメージスキャナ１及びＰＣ１３０において、ＣＰＵ１２６２及びＣＰＵ１３６等で実行されるプログラムや各種データは、所定のサーバーからネットワークを介してダウンロードして入力してもよい。
【００３３】
図１３は、本実施例の画像読み取り装置装置におけるローディング動作のフローチャートである。ローディング動作とはフィルム挿入時に実行される一連の初期動作のことである。以下、図１１及び図１３に基づいてローディング動作について述べる。以下の説明において、フィルムに複数ある画像記録領域をコマというものとする。また、フィルムの進行方向に関して記述する場合、挿入口１４からフィルムを挿入するときにフィルムが進む方向（図１１のＹ方向）を前方、その反対方向（図１１のＸ方向）を後方というものとする。また、フィルムの前方側端部をフィルムの前端といい、フィルムの後方側端部をフィルムの後端というものとする。また、フィルムの後端に一番近いコマを最終コマというものとする。また、各コマのフィルム前端に近い端部をコマの前端、フィルム後端に近い端部を各コマの後端というものとする。
【００３４】
挿入口１４から挿入されたフィルムは第一レール部材２６に案内され、挿入検出位置ＳＰに達する。第一ポジションセンサ１０２が挿入されたフィルムの前端を感知するとローディング動作が開始される。
第一ポジションセンサ１０２からステップＳ１２の要求信号を受けた制御部１２６は、挿入されたフィルムを前方に搬送する指示を透過原稿搬送部１１６に対して行う。すると、透過原稿搬送部１１６は透過原稿搬送用モータ９４を回転させる。フィルムが第一ベルト１６と第二ベルト７０の挿入口側端部に到達すると、透過原稿搬送用モータ９４によって駆動されている第一ベルト１６と第二ベルト７０によって前方に搬送され、第一板ばね２８と第二板ばね７４の挿入口側端部で搬送経路が湾曲するため幅方向の反りが矯正される（Ｓ１２）。第一ベルト１６及び第二ベルト７０はプーリ対で直線状に引っ張られているため、フィルムは第一ベルト１６と第二ベルト７０の中間部で浮き上がることも、矯正された反りが復元することもない。
【００３５】
フィルムの前端がＯＰに到達し、第二ポジションセンサ１０４が透過原稿の前端を感知すると、第二ポジションセンサ１０４はステップＳ１４を要求する信号を制御部１２６に対して出力する（Ｓ１３）。
ステップＳ１４において、透過原稿搬送部１１６は、制御部１２６の指示により、透過原稿搬送用モータ９４を逆回転させフィルムの前端が第一読み取り領域ＳＳより挿入口側のホームポジションＨＰに一致する位置までフィルムを搬送する。フィルムの前端がホームポジションＨＰに到達すると、透過原稿搬送部１１６が透過原稿搬送用モータ９４を静止させ、ローディング動作は終了する。
【００３６】
一方、第一ポジションセンサ１０２がフィルムの挿入を検出してから所定の期間第二ポジションセンサ１０４が透過原稿を感知しない場合は、ステップＳ１５において、制御部１２６はユーザに対してエラー発生を通知するための制御を行う。具体的には例えば、制御部１２６はエラー発生情報をインターフェース１２８とインターフェース１３４を介してＰＣ１３０に通知し、スキャナ制御用プログラムによってディスプレイ１３８にエラーが発生した旨を表示する等の方法がある。
【００３７】
図１４は、ストリップフィルムのプレスキャンモードにおける画像読み取り動作のフローチャートである。プレスキャンモードとは本スキャンに先立って実施される低解像度の読み取りモードである。例えば、本スキャンモードで読み取るフィルムのコマの選択に必要な一覧表示用の全コマ分の画像データを短時間で取得するために、プレスキャンモードは実施される。以下、ストリップフィルムの全コマ分の画像データを取得するプレスキャンモードにおける画像読み取り動作について説明する。
【００３８】
制御部１２６がユーザによるプレスキャン要求を受け付けると、プレスキャンモードにおける画像読み取り動作が開始される。ユーザによるプレスキャン要求には、例えばディスプレイ１３８に表示されたプレスキャン開始ボタンをクリックする等の方法がある。ユーザがディスプレイ１３８に表示されているプレスキャン開始ボタンをクリックすると、ＣＰＵ１３６はスキャナ制御用のプログラムに従い、プレスキャン要求をイメージスキャナ１に送信する。
【００３９】
ステップＳ２１において、プレスキャン要求を受信したイメージスキャナ１では、制御部１２６の制御下で、主走査範囲が白基準読み取り領域ＳＷの挿入口側端部に位置するまでキャリッジ搬送部１１８がキャリッジ４２を搬送する。
ステップＳ２２では、主走査範囲が白基準読み取り領域ＳＷの反挿入口側端部に位置する位置にキャリッジ４２が移動するまで、主走査範囲の画像データの生成とキャリッジ４２の移動が繰り返される。主走査範囲の画像データの生成は、第一光源ユニット２１から放射され主走査範囲を素通りした光の光量に応じたアナログ信号をイメージセンサ３８で生成し、ＡＦＥ部１２２でディジタル信号に変換することによって行われる。また、キャリッジ４２の移動は、キャリッジ搬送部１１８が挿入口１４から離間する方向にキャリッジ４２を搬送することによって行われる。白基準読み取り領域ＳＷの幅に応じて複数ライン分生成された画像データの平均値が白基準としてメモリに保存され、後述するディジタル画像処理部１２４におけるシェーディング補正に利用される。シェーディング補正とは、第一光源ユニット２１の輝度の主走査方向のばらつき、レンズ３６の周辺光量低下、イメージセンサ３８の画素感度のばらつき等を補正する手段である。また、白基準とはシェーディング補正における最淡値、すなわち「白」の基準値として利用される画像データである。
【００４０】
ステップＳ２３では、主走査範囲が第一読み取り領域ＳＳ内の所定の位置に位置するまでキャリッジ搬送部１１８はキャリッジ４２を搬送する。
ステップＳ２４では、少なくとも主走査範囲が最終コマの後端に位置するまで、主走査範囲の画像データの生成とフィルムの移動が繰り返される。主走査範囲の画像データの生成は、第一光源ユニット２１から放射され主走査範囲にあるコマを透過した光の光量に応じたアナログ信号をイメージセンサ３８で生成し、ＡＦＥ部１２２でディジタル信号に変換することによって行われる。ＡＦＥ部１２２から出力される画像データはディジタル画像処理部１２４においてシェーディング補正、ガンマ補正等の画像処理を施され、ＰＣ１３０に送信される。また、フィルムの移動は、透過原稿搬送部１１６でフィルムを前方に搬送することによって行われる。このときフィルムの前端は、第一レール部材２６で上昇区間を案内され、第二レール部材４８で搬送経路の待避区間を案内され、待避空間２２０まで到達する。搬送経路に上昇区間を設け、原稿台２４の盤面２４０から離間した搬送経路の待避区間にフィルムを案内することにより、第二読み取り領域ＳＭを主走査範囲の中央に配置することができる。
【００４１】
最終コマの後端までの読み取りが完了すると、ステップＳ２５において、透過原稿搬送部１１６はフィルムの前端がホームポジションＨＰに一致するまでフィルムを後方に搬送する。
また、ステップＳ２６では、第一読み取り領域ＳＳより挿入口側のキャリッジ待機位置ＣＰにキャリッジ搬送部１１８はキャリッジ４２を搬送し、プレスキャンモードにおける画像読み取り動作は終了する。
【００４２】
図１５は、ストリップフィルムの本スキャンモードにおける読み取り動作のフローチャートである。以下、ストリップフィルムの本スキャンモードにおける読み取り動作について述べる。
制御部１２６がユーザによる本スキャン要求を受け付けると、制御部１２６はステップＳ４１を実施する指示を透過原稿搬送部１１６に対して行い、本スキャンモードにおける読み取り動作が開始される。本スキャン要求は、例えば、スキャナの制御プログラムによって図１６に示すダイアログウィンドウ６５３をプレスキャン終了後にディスプレイ１３８に表示し、プレスキャンモードにおける読み取り動作の実行の結果としてダイアログウィンドウ６５３に表示されている全てのコマの低解像度画像６５４の一覧表示から、本スキャン対象の複数のコマをユーザにクリックさせて選択させ、本スキャン開始ボタン６５２をクリックさせて受け付ける。また、ダイアログウィンドウ６５３では、本スキャンの解像度の設定を受け付けるためのコンボボックス６５５を表示する。
【００４３】
ステップＳ４１では、フィルムの前端がホームポジションＨＰに一致する位置に透過原稿搬送部１１６はフィルムを搬送する。
ステップＳ４２では、ステップＳ２１と同様にして、制御部１２６の指示により、主走査範囲が白基準読み取り領域ＳＷの挿入口側端部に位置するまでキャリッジ搬送部１１８はキャリッジ４２を搬送する。
ステップＳ４３では、ステップＳ２２と同様にして、白基準を取得し、メモリに保存する。
【００４４】
ステップＳ４４では、主走査範囲が第一読み取り領域ＳＳの反挿入口側端部に位置するまでキャリッジ搬送部１１８はキャリッジ４２を図１１のＹ方向に搬送する。
ステップＳ４５では、本スキャン要求時に選択されたコマが第一読み取り領域内に位置決めされるまでフィルムを透過原稿搬送部１１６が搬送する。第一読み取り領域ＳＳでは、第一ベルト１６、第二ベルト７０、第一板ばね２８及び第二板ばね７４によって原稿台２４の盤面２４０から所定の距離離れた位置で盤面２４０と平行な平坦な姿勢でフィルムが保持される。
【００４５】
ステップＳ４６では、キャリッジ４２が図１１のＸ方向に移動して主走査範囲が第一読み取り領域ＳＳの挿入口側端部に位置するまで、主走査範囲の画像データの生成とキャリッジ４２の移動が繰り返される。ステップＳ２４と同様に、ディジタル画像処理部１２４から出力された画像データはＰＣ１３０に送信される。この結果、設定されている所定の解像度で本スキャン対象のコマが読み取られる。このとき制御部１２６は、サイレントモードでは通常モードより遅い速度で読み取り動作を制御する。サイレントモードと通常モードの制御の違いについては、後に詳述する。
【００４６】
ステップＳ４７では、本スキャン要求時に選択した全てのコマの画像データを取得したか否かを制御部１２６で判定し、画像データが取得されていないコマがある場合は上述の処理を繰り返し、全てのコマの画像データが取得されている場合はステップＳ４８に進む。ステップＳ４５が繰り返されるとき、画像データを取得していないコマが第一読み取り領域に位置決めされる。
【００４７】
ステップＳ４８では、キャリッジ搬送部１１８はキャリッジ４２をキャリッジ待機位置ＣＰまで搬送する。
ステップＳ４９では、透過原稿搬送部１１６はフィルムの前端がホームポジションＨＰに一致する位置までフィルムを搬送し、本スキャンモードにおける読み取り動作は終了する。
【００４８】
ここで、第一のモードとしての通常モードと第二のモードとしてのサイレントモードについて説明する。第一のモードと第二のモードの切り替え操作は、図１６に示すダイアログウィンドウ６５３を介して受け付ける。スキャナの制御プログラムはモードを切り替えるためのラジオボタン６５０、６５１をダイアログウィンドウ６５３に表示する。通常モード選択スイッチ６５０は、通常モードに遷移させる操作をクリックによって受け付けるラジオボタンである。サイレントモード選択スイッチ６５１は、サイレントモードに遷移させる操作をクリックにいおって受け付けるラジオボタンである。
尚、イメージスキャナ１に設ける機械的なスイッチで第一のモードと第二のモードの切り替え操作を受け付けても良い。
【００４９】
図１７は、本スキャン対象のコマを読み取る上述のステップＳ４６においてキャリッジ駆動用制御回路から出力されるパルス信号（モータ制御信号）と、主走査駆動部１１４から出力されるイメージセンサ３８の蓄積時間の制御信号（ゲート開閉信号）とを示すタイミングチャートである。
モータ制御信号のパルス速度は、サイレントモードでは通常モードより遅く制御する。具体的には例えば、解像度が１５０ｄｐｉの通常モードでは３２００ｐｐｓでモータを回転させ、解像度が１５０ｄｐｉのサイレントモードでは８００ｐｐｓでモータを回転させる。また例えば、解像度が３００ｄｐｉの通常モードでは１６００ｐｐｓでモータを回転させ、解像度が３００ｄｐｉのサイレントモードでは８００ｐｐｓでモータを回転させる。
【００５０】
イメージセンサ３８に電荷を蓄積するライン間隔Ｐは、同一解像度の設定であれば、図１８（Ａ）に示すようにサイレントモードと通常モードで等しく制御する。具体的には例えば、図１７に示すように、１５０ｄｐｉの解像度では、通常モードであってもサイレントモードであっても、モータ制御信号のパルスの８周期と、イメージセンサ３８に電荷を蓄積開始させるゲート開閉信号のパルスの１周期とイメージセンサ３８に蓄積された電荷をＣＣＤに移送するゲート開閉信号のパルスの１周期とを一致させる。また例えば３００ｄｐｉの解像度では、通常モードであってもサイレントモードであっても、モータ制御信号のパルスの４周期に、イメージセンサ３８に電荷を蓄積開始させるゲート開閉信号のパルスの１周期とイメージセンサ３８に蓄積された電荷をＣＣＤに移送するゲート開閉信号のパルスの１周期とを一致させる。
【００５１】
イメージセンサ３８に電荷を蓄積する期間は、サイレントモードでは通常モードより長く制御する。具体的には例えば、通常モードでもサイレントモードでも、イメージセンサ３８に電荷を蓄積開始させるゲート開閉信号のパルスとイメージセンサ３８に蓄積された電荷をＣＣＤに移送するゲート開閉信号のパルスとの間隔を、モータの制御用信号のパルスの１周期に一致させる。すると、１５０ｄｐｉの解像度では、サイレントモードにおけるモータ制御信号のパルス速度が通常モードの１／４倍であるため、サイレントモードにおける電荷蓄積期間ＡＣＣは通常モードの４倍になる。また、３００ｄｐｉの解像度では、サイレントモードにおけるモータ制御信号のパルス速度が通常モードの１／２倍であるため、サイレントモードにおける電荷蓄積期間ＡＣＣは通常モードの２倍になる。また、通常モードでは、解像度が３００ｄｐｉの場合のモータ制御信号のパルス速度は、解像度が１５０ｄｐｉの場合の２倍であるため、３００ｄｐｉでの電荷蓄積期間ＡＣＣは１５０ｄｐｉでの１／２倍になる。尚、本実施例のサイレントモードでは、１５０ｄｐｉでも３００ｄｐｉでも同じ速度でキャリッジ搬送用モータを制御するため、１５０ｄｐｉでも３００ｄｐｉでも電荷蓄積期間ＡＣＣは同じである。
【００５２】
上述したとおり、イメージセンサ３８に電荷を蓄積するライン間隔は、同一解像度の設定であればサイレントモードと通常モードで等しいため、イメージセンサ３８から出力される信号をＡＦＥ部１２２及びディジタル画像処理部１２４でライン別に処理してラスタ画像データを生成すれば、イメージスキャナ１から出力されるラスタ画像データの副走査方向の解像度を２つのモードで一致させることができる。
【００５３】
以上説明した第一実施例によると、ストリップフィルムの本スキャンモードにおいて、キャリッジ搬送用モータの回転速度を遅くしながら同一の解像度で読み取り対象のコマを読み取ることができるため、特定の解像度でフィルムを読み取る際に発生する騒音を、状況に応じて低減できるようになる。
また、サイレントモードでは、サイレントモードの電荷蓄積期間を通常モードの電荷蓄積期間より長く制御することにより、イメージセンサ３８のＳ／Ｎが向上するため、画質が向上する。
【００５４】
（第二実施例）
図１９は、本スキャン対象のコマを読み取る上述のステップＳ４６においてキャリッジ駆動用制御回路から出力されるモータ制御信号と、主走査駆動部１１４から出力されるゲート開閉信号とを示すタイミングチャートである。第二実施例では、サイレントモードにおけるイメージセンサ３８の電荷蓄積期間ＡＣＣ及びライン間隔の制御方法が第一実施例と異なる。以下、上述のステップＳ４６における制御方法の第二実施例を説明する。
【００５５】
制御部１２６は、通常モードでのイメージセンサ３８の制御とサイレントモードでのイメージセンサ３８の制御とを同一にする。
すなわち、解像度の設定が同一であれば、サイレントモードにおけるキャリッジ搬送用モータの回転速度を通常モードの１／２倍に制御していても、イメージセンサ３８に電荷を蓄積する期間ＡＣＣをサイレントモードと通常モードで等しく制御する。
【００５６】
また、解像度の設定が同一であれば、サイレントモードにおけるキャリッジ搬送用モータの回転速度を通常モードの１／４倍又は１／２倍に制御していても、イメージセンサ３８に電荷を蓄積開始させるゲート開閉信号のパルスの周期を通常モードとサイレントモードで一致させ、イメージセンサ３８に蓄積された電荷をＣＣＤに移送するゲート開閉信号のパルスの周期を通常モードとサイレントモードで一致させる。この結果、イメージセンサ３８に電荷を蓄積するライン間隔Ｐは、同一解像度の設定であっても、図１８（Ｂ）に示すように、サイレントモードでは通常モードの１／４倍又は１／２倍になる。したがって、イメージセンサ３８から出力されるデータの副走査方向の解像度は、サイレントモードで通常モードの４倍又は２倍になる。
そこで、設定通り２つのモードで同一の解像度のラスタ画像データを生成するため、ディジタル画像処理部１２４において、４ライン又は２ライン分の画像データをイメージセンサ３８のセル毎に平均し、副走査方向の解像度を１／４又は１／２にする。
【００５７】
以上説明した第二実施例によると、サイレントモードでは通常モードよりもライン間隔が狭くなるようにイメージセンサ３８及びキャリッジ搬送用モータを制御し、ディジタル画像処理部１２４で２ライン分の画像データをイメージセンサ３８のセル毎に平均することにより、Ｓ／Ｎ比が向上するため、画質が向上する。
【００５８】
尚、上述の実施例では、キャリッジ搬送用モータを副走査手段として例示したが、原稿の読み取り時に主走査範囲を副走査方向に移動させるモータ等のアクチュエータであればいかなるものであっても副走査手段として制御することができ、例えば透過原稿搬送用モータ９４のプレスキャン時の回転速度を通常モードでサイレントモードより遅くしても良い。
また、上述の実施例では、ストリップフィルムの本スキャン時の制御に本発明を適用した例を説明したが、反射原稿の本スキャン時の制御に本発明を適用しても良い。
【図面の簡単な説明】
【００５９】
【図１】本発明の第一実施例に係る断面図。
【図２】本発明の第一実施例に係る平面図。
【図３】本発明の第一実施例に係る正面図。
【図４】本発明の第一実施例に係る断面図。
【図５】本発明の第一実施例に係る断面図。
【図６】本発明の第一実施例に係る斜視図。
【図７】本発明の第一実施例に係る模式図。
【図８】本発明の第一実施例に係る底面図。
【図９】図８のＥ−Ｅ線に対応する断面図。
【図１０】図８のＦ−Ｆ線に対応する断面図。
【図１１】本発明の第一実施例に係る断面図。
【図１２】本発明の第一実施例に係るブロック図。
【図１３】本発明の第一実施例に係るフローチャート。
【図１４】本発明の第一実施例に係るフローチャート。
【図１５】本発明の第一実施例に係るフローチャート。
【図１６】本発明の第一実施例に係るダイアログウィンドウを示す図。
【図１７】本発明の第一実施例に係るタイミングチャート。
【図１８】本発明の第一実施例に係る模式図。
【図１９】本発明の第二実施例に係るタイミングチャート。
【符号の説明】
【００６０】
１  イメージスキャナ、１６  第一ベルト、１７  透過原稿搬送装置、２０  第一光源、２１  第一光源ユニット、２４  原稿台、３０，４４，６４，７６  プーリ、３２  ミラー、３４  第二光源、３６  レンズ、３８  イメージセンサ、４２  キャリッジ、４８  第二レール部材、６０  ノブ、７０  第二ベルト、８０  第二レール、８４  第一レール、９４  透過原稿搬送用モータ、１１０  第一照明部、１１２  第二照明部、１１４  主走査駆動部、１１６  透過原稿搬送部、１１８  キャリッジ搬送部、１２０  操作部、１２４  ディジタル画像処理部、１２６  制御部、４８５  第三レール、４８９  第四レール
【図１】
2005094688.tif 000003
【図２】
2005094688.tif 000004
【図３】
2005094688.tif 000005
【図４】
2005094688.tif 000006
【図５】
2005094688.tif 000007
【図６】
2005094688.tif 000008
【図７】
2005094688.tif 000009
【図８】
2005094688.tif 000010
【図９】
2005094688.tif 000011
【図１０】
2005094688.tif 000012
【図１１】
2005094688.tif 000013
【図１２】
2005094688.tif 000014
【図１３】
2005094688.tif 000015
【図１４】
2005094688.tif 000016
【図１５】
2005094688.tif 000017
【図１６】
2005094688.tif 000018
【図１７】
2005094688.tif 000019
【図１８】
2005094688.tif 000020
【図１９】
2005094688.tif 000021